(57)【要約】      （修正有）【課題】肖像と結びつけられた相応しい装飾が施され、肖像とともにその装飾が視認可能な技術を提供する。【解決手段】所定の物に対して肖像６０により特定される個人の身の回り品の生地を含む複数の被覆部材が被覆され、複数の被覆部材は、カラー及びファッションの少なくともいずれかの観点からコーディネイトされて配置され、肖像６０とともに被覆部材を展示可能とする。【選択図】図１
2014136152.tif 000002
【特許請求の範囲】
【請求項１】
収納空間に肖像が収納可能である収納体であって、
自収納体内面側および自収納体外面側の少なくともいずれかに、前記肖像により特定される個人の身の回り品の生地を含む複数の被覆部材が被覆され、
前記複数の被覆部材は、カラー及びファッションの少なくともいずれかの観点からコーディネイトされて配置され、
前記肖像とともに前記被覆部材を展示可能なことを特徴とする収納体。
【請求項２】
蓋部を開いた状態で収納空間に肖像用額縁が収納可能である収納体であって、
自収納体内面側および自収納体外面側の少なくとも前記自収納体内面側に、前記肖像により特定される個人の身の回り品の生地を含む複数の被覆部材が被覆され、
前記複数の被覆部材は、カラー及びファッションの少なくともいずれかの観点からコーディネイトされて配置され、
前記蓋部を開いた状態で収納された前記肖像用額縁の前記肖像とともに前記自収納体内面側の前記被覆部材を展示することを特徴とする収納体。
【請求項３】
肖像を備える展示体であって、
自展示体に、前記肖像により特定される個人の身の回り品の生地を含む複数の被覆部材が被覆され、
前記複数の被覆部材は、カラー及びファッションの少なくともいずれかの観点からコーディネイトされて配置され、
前記肖像とともに前記被覆部材を展示可能なことを特徴とする展示体。
【発明の詳細な説明】
【技術分野】
【０００１】
本発明は、肖像により特定される個人の身の回り品の生地等により装飾する技術に関する。
【背景技術】
【０００２】
従来、遺影写真用額縁は、使用時以外は段ボール等に収納して運搬・保管・陳列がなされていた。遺影写真用額縁の使用時に用いられる立設用のスタンドは遺影写真用額縁の箱体には収納されず別途用意され、遺影用の元写真やその故人に関連するスナップ写真等は遺影写真用額縁とは別に保管されていた。このように、遺影写真用額縁に関連する物の管理がやや煩雑となっていた。そのため、造花をあしらうことが可能な遺影写真用額縁を小物とともに収納可能な箱体が提案されている（特許文献１参照）。
【０００３】
また、心の豊かさを求めて旅する人々に対して、その思い出に、より付加価値をつけて、楽しかった旅の思い出をリアルに残し得るようにしたり、簡単に写真を挿入・取替え可能とし、思い出を記録・録画等した記憶媒体や、旅行雑誌等を、簡単に、確実に収納可能とすべく、表表紙、背表紙、裏表紙を高級感を演出するために革製としつつ、アルバムや小物等を収納可能な収納ボックスが提案されている（特許文献２参照）。
【先行技術文献】
【特許文献】
【０００４】
【特許文献１】特許第４９９７０５５号公報
【特許文献２】特開２００５−１７８３４３号公報
【発明の概要】
【発明が解決しようとする課題】
【０００５】
しかしながら、遺影写真は、遺族が慌ただしく用意したものも多く、ありあわせの写真を適当に見繕って採用しているものや、集合写真から故人を大きく引き伸ばしたものや、相当に若い頃のもの、そして遺影写真には不適切な服装のものもあり、顔の表情も怖い・暗いものも少なからずある。また、写真サイズもサイズが大きくなると価格も高くなる反面、家に持ち帰って飾るのには大きすぎる場合もある。
また、遺影写真を本来的な故人を偲ばせるものとして仏壇に飾っても、顔の表情が怖い・暗いもの等は後世に残す故人の生きた証としては寂しい限りである。
【０００６】
また、写真等の収納ボックスの表表紙、背表紙、裏表紙を高級感を演出するために単に革製とすることのみでは、後世に残す大切な写真等の持つイメージと合致しにくい。
むしろ、写真等の収納ボックスもその肖像により特定される個人の自身の人生の記録、記憶、記念、絆、気持ちと結びついた装飾が施されることが望ましい場合も多い。
【０００７】
すなわち、肖像により特定される個人の身の回り品である思い出の服や愛用・お気に入りの服など（例えば、洋服、和服、帯、スカーフ、ハンカチ、スーツ、ジャケット・ワイシャツ・ネクタイ、鞄。）の生地等をカラー・コンサルタントやファッション・コンサルタント等がその服などを活かし、その人の個性に合わせてコーディネイトして、その生地を見ただけでその人を思い出すような装飾に仕上げる。
【０００８】
さらに、従来の技術では、特定の個人の身の回り品の生地等を利用して、その個人の肖像とともにその個人と結びつけられた相応しい装飾を施す技術を実現することは困難であった。
【０００９】
本発明の目的は、肖像と結びつけられた相応しい装飾が施され、肖像とともにその装飾が視認可能な技術を提供することにある。
【課題を解決するための手段】
【００１０】
本発明の収納体は、
収納空間に肖像が収納可能である収納体であって、
自収納体内面側および自収納体外面側の少なくともいずれかに、前記肖像により特定される個人の身の回り品の生地を含む複数の被覆部材が被覆され、
前記複数の被覆部材は、カラー及びファッションの少なくともいずれかの観点からコーディネイトされて配置され、
前記肖像とともに前記被覆部材を展示可能なことを特徴とする。
このように構成することにより、カラースタイリスト・ファッションスタイリスト等が、複数の被覆部材について、カラー及びファッションの少なくともいずれかの観点からコーディネイトして、適切なバランスで被覆部材を配置するので、世界に一つだけの本人の個性にマッチした収納体を実現できる。
【００１１】
また、本発明の収納体は、
蓋部を開いた状態で収納空間に肖像用額縁が収納可能である収納体であって、
自収納体内面側および自収納体外面側の少なくとも前記自収納体内面側に、前記肖像により特定される個人の身の回り品の生地を含む複数の被覆部材が被覆され、
前記複数の被覆部材は、カラー及びファッションの少なくともいずれかの観点からコーディネイトされて配置され、
前記蓋部を開いた状態で収納された前記肖像用額縁の前記肖像とともに前記自収納体内面側の前記被覆部材を展示することを特徴とする。
【００１２】
また、本発明の展示体は、
肖像を備える展示体であって、
自展示体に、前記肖像により特定される個人の身の回り品の生地を含む複数の被覆部材が被覆され、
前記複数の被覆部材は、カラー及びファッションの少なくともいずれかの観点からコーディネイトされて配置され、
前記肖像とともに前記被覆部材を展示可能なことを特徴とする。
【発明の効果】
【００１３】
本発明によれば、肖像と結びつけられた相応しい装飾が施され、肖像とともにその装飾が視認可能な技術を提供することができる。
【図面の簡単な説明】
【００１４】
【図１】本発明の実施の形態におけるブック型収納ボックスの全体図である。
【図２】本発明の実施の形態におけるブック型収納ボックスの他の全体図である。
【図３】本発明の実施の形態におけるブック型収納ボックスの断面図である。
【図４】本発明の実施の形態におけるブック型収納ボックスの使用状態を示す斜視図である。
【発明を実施するための形態】
【００１５】
以下、本発明の実施の形態を図面を参照しつつ説明する。
図１に示すように、本実施の形態のブック型収納ボックスＢは、略長方形の板状体の表表紙部１０と、略長方形の板状体の背表紙部２０と、略長方形（表表紙部１０と対となる形状）の板状体の裏表紙部３０を備えて構成されている。収納される肖像６０はここでは縦向Ａ４サイズ（縦２９７ｍｍ×横２１０ｍｍ）であるのでこのサイズを収納可能に対応した大きさに構成されている。これらの構成の詳細は図３を参照して後述する。
【００１６】
裏表紙部３０には背表紙部２０の厚さ寸法（図１の寝かせた状態での表裏表紙間の上下方向の幅寸法をいい、ここでは略８ｃｍである。）と略一致する高さ寸法である矩形枠状の収納部４０の下端面が糊や接着剤等で取り付けられている。収納部４０の矩形枠状により形成される領域は裏表紙部３０（及び表表紙部１０）の大きさよりも一回り以上小さく形成されている。本実施の形態では４辺それぞれにおいて略１ｃｍの差がある。このように一回り以上小さく形成されることで、後述する被覆部材の被覆・貼着などが容易となり、またデザイン性も高くなり、外観的にも表表紙部１０を開いた状態での被覆部材の装飾効果がより発揮され易くなっている。
また、収納部４０の矩形枠状の内壁部には段差部４０ａが収納部４０の高さ寸法よりも小さい高さ寸法の略長方形の板状体部材等により、収納部４０の背表紙部２０と平行面をなす一対の内壁部に添設、又はその板状体部材等の下端面が糊や接着剤等で裏表紙部３０に取り付けられている。もちろん収納部４０と段差部４０ａが一体的に形成されていてもよい。段差部４０ａは、肖像６０を格納した肖像用額縁５０を裏表紙部３０と略平行面に安定的に係止させて収納可能な構造であれば、形状・材質・数量等は特に限定されない。
【００１７】
また、収納部４０の材質は好適には木材であり、他の材質に木目調のシート等が被覆されることであってもよい。木材であることにより、加工が容易であるのみでなく、職人等による丁寧な作業により高級感を醸し出すことも可能であり、特に看者に温もりを感じさせることができる。もちろんクールな印象等を持たせるために金属や樹脂その他の任意の材料が用いられてもよい。
【００１８】
また、矩形枠状の収納部４０の上端面（ここでは背表紙側辺と対向辺を３等分する位置に２個）に、磁石４２が埋設されている。表表紙部１０に埋設されている磁石１２と相俟って表表紙部１０の閉状態を固定して保持することができる。なお、磁石１２と磁石４２のいずれかが鉄などの強磁性体であっても同様の役割を果たすことができる。
【００１９】
段差部４０ａに係止された肖像用額縁５０と、収納部４０と、裏表紙部３０とにより形成される収納空間に肖像６０により特定される個人（以下、「Ｘ氏」という。）に係わる被収納体としての小物７０が収納され（図２も参照）、保存・残すことができる。
小物７０としては、例えば、差替え用のＡ４サイズ等のＸ氏の肖像、小さいサイズのＸ氏の肖像、写真館では困難な自然な笑顔や声も収録可能なＸ氏の動画ＤＶＤ、形見となるようなＸ氏所有の指輪等の高価な貴金属類、Ｘ氏の通帳・手帳等、Ｘ氏のメガネ・サングラス等であるがこれらに限定されない。このような形見となるような貴金属類、手帳、メガネ等を写真立とともに棚に並べて展示・保管することなく、これらの小物も肖像６０とともに一つのブック型収納ボックスＢに収納できるので便利である。一方、ブック型収納ボックスＢの収納スペースは限定されているので、捨て難い小物が多い中でも残すべきものを厳選して取捨選択できるというメリットも生じ得る。
【００２０】
肖像用額縁５０は、Ａ４サイズの肖像６０を格納する矩形フレーム（枠）であり、ここでは木製としている。したがって収納部４０の材質と調和して美観を生ずる。額縁自体の構成は周知のものであり、額縁自体には対向する背板とともに肖像６０の前面部を視認可能に挟持する樹脂製の透明板５１が嵌め込まれている。
また、段差部４０ａに係止された肖像用額縁５０の係止状態を解除して取り外すための手指による摘み部５２がフレーム上辺中央部に設けられている。肖像用額縁５０は、ブック型収納ボックスＢに脱着可能で容易に肖像６０の差し替えを行うこともでき利便性が高められている。摘み部５２は、その機能を果たす限りどのような形状・材質であってもよいが、例えば、Ｘ氏の洋服のボタン等が用いられると、よりその他の装飾と調和が図られる。肖像用額縁５０は、両面に肖像６０を格納して展示することが可能な構成であってもよく、この場合、シチュエーションに応じた肖像６０を両面から適宜選択することができる。
また、肖像用額縁５０の上端面（ここでは下辺中央部近傍）に、Ｘ氏の名前・イニシャル等の文字５３が印刷、刻印等により入れられる。
さらに、肖像用額縁５０は、段差部４０ａに係止された状態で、収納部４０との間に１〜数ｍｍの隙間を生じる形状であるため、当該隙間から裏表紙部３０に被覆された被覆部材を視認させる展示が可能となり、細部のデザインにまで拘ったブック型収納ボックスＢを実現することができる。
【００２１】
肖像６０は、例えば、肖像写真（デジタルフォトを含む）、肖像画（似顔絵・イラスト等）である。肖像用額縁５０に格納される、肖像６０の代替として、特定の個人を表象するデジタル動画、証書、文字（氏名など）等が広く適用可能である。また、風景写真・風景画等が両面格納可能な額縁の裏面に格納されていてもよい。肖像サイズは好適にはＡ４サイズであるが、それ以外のサイズ・形状であってももちろんよい。
【００２２】
図３の断面図を参照すると、表表紙部１０と、背表紙部２０と、裏表紙部３０とは、それぞれ板状体（ここでは、薄合板とする。）の芯材１、２、３の両面に、Ｘ氏の身の回り品の生地を含む複数の被覆部材１１、１０１、１０２、３１が被覆されている。
身の回り品とは、例えば、洋服、和服、帯、スカーフ、ハンカチ、スーツ、ジャケット・ワイシャツ・ネクタイ、鞄などである。生地には革なども含まれる。生地の厚さ寸法は縫製や貼着等の際の便宜のため薄すぎず、厚すぎずのものが好適である。思い出の服や愛用・お気に入りの服などは高価なものも多く、一般に生地も上質であるので、装飾用には最適であり、また、ブランドの図柄等が一層の装飾的効果を奏したり、手触りや耐久性の点からも好ましい。
被覆部材は、生地に取り付けられているボタン・カフス等がそのまま付された状態を含む概念である。
芯材１、２、３の各芯材の両面にわたって被覆したり、複数の芯材にわたって被覆することであってもよい。また、複数の被覆部材が重なっていてもよい。なお、必ずしも芯材１、２、３の両面のすべての領域が被覆されていることでなくてよい。
複数の被覆部材（１種の服などからなる被覆部材であってもよい。）が縫製されたり、芯材に糊や接着剤等で貼付されることであってもよい。縫製等による袋状やブックカバー状で被覆することであってもよい。
芯材と被覆部材の間に衝撃を緩衝するためのクッション部材等を介装してもよい。
複数の被覆部材１１、１０１、１０２、３１は、カラー及びファッションの少なくともいずれかの観点からカラー・コンサルタントやファッション・コンサルタント等の専門家の知識・経験に基づいた知見からＸ氏の個性に相応しくコーディネイトされて適切な大きさ・位置に配置されている。例えば、あえて裏地を見せるようにデザインされてもよい。
【００２３】
本実施の形態のブック型収納ボックスＢにおける、カラー及びコーディネイト方法は、一例として、従来の、洋服、生地、素材、デザイン、色といった、単に色やもの同士の組み合わせでは表現することが困難な、人をイメージすることができるカラーコーディネイトを中心とした装飾効果を目的としている。
【００２４】
すなわち、パーソナルカラー・コンサルタントというイメージ表現の専門家の特質的な知識と理解によって選び出された、肖像により特定される個人に調和する色や、個人の個性を表現できる色を、適切にカラーコーディネイトし、配置できるパーソナルカラー・コンサルタントの専門技術により実現可能となる。
【００２５】
また、本実施の形態のブック型収納ボックスＢに、肖像により特定される個人の身の回り品である、思い出の服や愛用・お気に入りの服など複数のものから、最適なものを的確に選び、コーディネイトするために、パーソナルカラー・コンサルタントの個人の似合う色の選定や、着装と同じく人と色の調和を図るという全体の感性実現が必要となる。
【００２６】
さらに、パーソナルカラー・コンサルタントが行う、個人の身体的な要素の把握や、個人の職業、性格、趣味、生活、仕事への意識、環境、またワードローブなどのパーソナルな情報も把握して、その人の個性を、カラー及びコーディネイトで正確に表現できる専門知識と経験が、肖像と結びつくブック型収納ボックスＢの色選びやコーディネイト、装飾効果に発揮されている。
【００２７】
このような専門家の知識と経験に基づいた知見から、本実施の形態のブック型収納ボックスＢそのものが肖像により特定される個人と結びつき、その人を思い出したり、その人の人生を感じ取れるブック型収納ボックスＢを可能にし、個人の記憶、記録、記念、気持ち、絆を表現したものとして、未来や後世に継ぐ、大事な思い出のブック型収納ボックスＢの役割を果たすことができる。
【００２８】
上述したように、パーソナルカラー・コンサルタントの色の選定と、個性を表現するコーディネイト法によって、一人一人のために作られた、世界に一つの特別なブック型収納ボックスＢの提供が可能となる。
【００２９】
以下、さらにパーソナルカラー・コンサルタントのカラーコーディネイト法について詳述する。
パーソナルカラー・コンサルタントが行うカラーアドバイスは、人が生まれながらに持っているボディカラー、すなわち肌の色、瞳の色、髪の色に最も調和する色を選び出し、その似合う色を基本軸としたカラーコーディネイトの提案を行う。
【００３０】
肌の色は、何種類にも分類することができるが、基調となっている色があり、その色は瞳や、髪の色といったボディカラーと共通した特徴を持っている。パーソナルカラーでは、その基調色をベースカラー又は、アンダートーンという。
【００３１】
パーソナルカラーでは、すべての色を、イエローベース又は、ブルーベースの特徴で分類する。
パーソナルカラー分析の色分類は、ベースカラーの違いにより、イエローベースとブルーベースの２つのグループに分類したものを、さらに明暗感や彩度感の印象で、２つに分類し、合計４つの色のグループに分類している。
【００３２】
（１）イエローベースのディープカラーのグループ
暖色系、中〜低明度、中低彩度、中間色、暗清色の色が多く、深みのある色が特徴のグループ。
（２）イエローベースのブライトカラーのグループ
暖色系で高明度、高彩度、純色、明清色の色が多く、鮮やかで明るく、軽やかで澄んだ色が特徴のグループ。
（３）ブルーベースのビビットカラーのグループ
寒色系で高明度と低明度、高彩度と低彩度、純色、明清色の色が多く、澄んだ色が特徴のグループ。
（４）ブルーベースのソフトカラーのグループ
寒色系、中〜高明度、中〜低彩度、中間色、明清色の色が多く、白やグレーがかったような色が特徴のグループ。
【００３３】
本実施の形態のブック型収納ボックスＢには、本発明者であるパーソナルカラー・コンサルタントによる、経験、実績、データ、創意を加えた総合評価と鋭意検討の結果、数種類の色の分類方法から選び出された、４種類法を基本に、カラー及びコーディネイトや装飾効果が活用されている。
【００３４】
このような、パーソナルカラー・コンサルタントの専門知識と技術により、人と色の調和や、色による最高の印象を演出する方法をカラーコーディネイトや個人のイメージ表現にトータルで活用することで本実施の形態のブック型収納ボックスＢを提供することができる。
なお、既知の他のカラー及びコーディネイト方法が適用されることであってもよい。
【００３５】
また、被覆部材１０１と被覆部材１０２は、表表紙部１０が開閉可能となるようなゆとり（余裕）部分を持ちつつ、背表紙部２０と連結されるように、芯材１と芯材２とにわたって被覆し、少なくとも一部が芯材１と芯材２とに糊や接着剤等により容易に剥離しないよう貼付されている。表表紙部１０が開く角度は、少なくとも収納された肖像用額縁５０の肖像６０とともにブック型収納ボックスＢの装飾として認識可能に内面側の被覆部材を展示することが可能な角度である。好適には１８０度程度である。なお、表表紙部１０が開閉可能となるように芯材１と芯材２とに蝶番機構が設けられてもよい。
【００３６】
次に、上述した構成のブック型収納ボックスＢの製作方法の一例について詳細に説明する。材質等は理解の容易のため必要に応じて限定して説明する。
【００３７】
まず、木工職人等が、ブック型収納ボックスＢの芯材１、２、３や収納部４０、さらに肖像用額縁５０などを木材から丁寧に加工して形成する。
収納部４０は、４枚の板材の両端面をそれぞれ４５度の角度に切り落とし、接着剤等で接合して四隅が９０度の長方形の枠体を形成することであってもよい。
また、芯材２と芯材３の互いに接する面を４５度の角度に切り落とし、接着剤等で接合して９０度をなすように位置させる。
【００３８】
一方、Ｘ氏は、Ｘ氏の身の回り品である洋服などを複数用意する。
【００３９】
そして、上記の複数の洋服などをカラー・コンサルタントやファッション・コンサルタント等の専門家のもとに持参する。なお、Ｘ氏本人が来訪して対面で行う代わりに、肖像用額縁５０に格納されるＸ氏の肖像６０を予め用意して洋服などと共に郵送してもらうことであってもよい。これは写真館等で撮影したものであっても、従来から持っているスナップ写真であってもどのようなものであってもよい。肖像はその人の人生が感じ取れるような最高の笑顔や、自分自身が元気になれる肖像が好適である。
カラー・コンサルタントやファッション・コンサルタント等の専門家は、知識・経験に基づいた知見から用意された上記の複数の洋服などからブック型収納ボックスＢの芯材１、２、３の被覆部材としてＸ氏の個性に相応しいコーディネイトを考え、決定する。この際、ヒアリング等がなされてもよい。
【００４０】
そして、上記のコーディネイトに従って、縫製職人等が、ブック型収納ボックスＢの芯材１、２、３や収納部４０の大きさに合わせて、複数の洋服などを必要な適切な大きさに切り出し、それぞれ適切な位置に配置する。厚めの洋服の生地を芯地としても、別途、芯地となる生地等を用いてもよい。その芯地に洋服の生地、ポケット、ボタンなどをデザインされた位置に縫い付ける。すなわち、心を込めて被覆部材を芯材に丁寧に縫製したり、貼付したりして仕上げる。洋服の生地などが薄すぎたり、厚すぎたりすると被覆が困難となるので所望の厚さ寸法であることが好適である。
【００４１】
できあがった被覆部材を芯材２、芯材３、芯材１の順にそれぞれの外面側に糊や接着剤等で貼り付け、芯材を包むように仕上げていく。
そのとき、被覆部材１０１と被覆部材１０２は、表表紙部１０が開閉可能となるようなゆとり（余裕）部分を持ちつつ、背表紙部２０と連結されるように、芯材１と芯材２とにわたって被覆し、少なくとも一部が芯材１と芯材２とに糊や接着剤等により容易に剥離しないよう貼付される。その他の被覆部材１１、３１も繋ぎ合わされて袋状として芯材１、２、３を被覆して糊や接着剤等により芯材に貼付される。
【００４２】
さらに、収納部４０の内側の４面に被覆部材４１をそれぞれ糊や接着剤等により容易に剥離しないよう貼付する。
【００４３】
そして収納部４０をネジ及び糊や接着剤等を用いて背表紙部２０に接合する。
その状態で、芯材３と芯材１のそれぞれの内面側にそれぞれの被覆部材を糊や接着剤等で貼り付け、ブック型収納ボックスＢが完成する。
なお、製作手順は上記の工程に限定されず、適宜順序等を変更してもよい。
【００４４】
次に、上述した構成のブック型収納ボックスＢの使用方法について詳細に説明する。
図４（ａ）、（ｂ）に示すように、ブック型収納ボックスＢの表表紙部１０を閉じた状態でブック型収納ボックスＢの外観として認識可能に被覆部材を展示する。収納部４０の上端面の磁石４２と表表紙部１０の磁石１２とが相俟って表表紙部１０の閉状態を固定して保持する。
図４（ａ）、（ｂ）はブック型としてリビング等の所定の載置台に立てた状態（縦長）を示すが、図１〜図３に示すように、寝かせた状態（横型）であってもよい。立てた状態で保管可能であるのでインテリアに調和したデザイン性を備える外観形態を実現できる。
表表紙部１０を閉じた状態であっても、被覆部材としての洋服等の生地等を見ただけでＸ氏であることが分かったりするほど、特定の個人と結びついた外観デザインの収納ボックスを提供できる。
そして、肖像を見られたくない場合やいつも肖像に見られていると感じることが負担である場合等は表表紙部１０を閉じた状態で存置しておくことができ、利用シーンに応じた態様がフレキシブルに実現可能となる。
【００４５】
また、図４（ｃ）に示すように、ブック型収納ボックスＢの表表紙部１０を開いた状態で、収納された肖像用額縁５０の肖像６０とともにブック型収納ボックスＢの装飾として認識可能に内面側の被覆部材を展示することもできる。収納部４０の上端面の磁石４２と表表紙部１０の磁石１２とによる表表紙部１０の閉状態の固定を解除して開状態とする。
肖像と結びつけられた相応しい装飾がブック型収納ボックスＢの内面側にも施されているので、開いた状態で収納されたＸ氏の肖像とともに被覆部材としての洋服等の生地等を見ただけでＸ氏であることが分かったりするほど、特定の個人と結びついた装飾デザインの収納ボックスを提供できる。
もちろん、このときブック型収納ボックスＢの外観として認識可能に外面側の被覆部材も展示している。
また、枠状の収納部４０の領域は裏表紙部３０の大きさよりも一回り以上小さく形成されるので、デザイン性も高くなり、見た目としても裏表紙部３０の被覆部材により収納部４０を縁取るような装飾効果が発揮される。
また、肖像用額縁５０は、段差部４０ａに係止された状態で、収納部４０との間に１〜数ｍｍの隙間を生じる形状であるため、当該隙間から裏表紙部３０に被覆された被覆部材を視認させる展示も可能となり、細部にお洒落なデザインが施されたブック型収納ボックスＢを実現することができる。
また、肖像用額縁５０に、Ｘ氏の名前・イニシャル等の文字５３が印刷されており、デザイン性とともに看者に対してＸ氏の印象をより強くする効果を奏する。
このような職人の手による世界に一つだけのブック型収納ボックスＢは、看者にとって、自分自身の人生を見つめ直したり、身近にいる人を見つめ直したり、亡くなった人を思い出すきっかけとして大事な愛着のわくものとなる。
【００４６】
さらに、ブック型収納ボックスＢの表表紙部１０を開いた状態で、肖像用額縁５０の摘み部５２を手指により摘まんで引き出し、肖像用額縁５０をブック型収納ボックスＢから外して、小物７０を収納したり、取り出したりできる。これにより差替え用のＸ氏の肖像を取り出して容易に肖像６０の差し替えを行うこともできる。また、Ｘ氏の動画ＤＶＤ、形見となるようなＸ氏所有の高価な貴金属類なども収納・取出しが可能となる。
【００４７】
このような、ブック型収納ボックスＢは、人生の祝い事や、人生の節目にふさわしい贈り物として、誕生祝、成人祝、結婚祝、還暦祝、終活のエンディングにも最適であり、自分自身の人生の軌跡を見つめ直し、過去、現在、未来につなぐ、後世に残したい自分自身ともなる。ブック型収納ボックスＢを所有することで、お守りのように明日からの元気、未来への安心も得ることができる。
【００４８】
その他、一々例示はしないが、本発明は、その趣旨を逸脱しない範囲内において、各構成部分の大きさや位置・数・形状を含む種々の変更が加えられて実施されてよい。
【符号の説明】
【００４９】
Ｂ                            ブック型収納ボックス
１、２、３                    芯材
１０                          表表紙部
２０                          背表紙部
３０                          裏表紙部
４０                          収納部
４０ａ                        段差部
５０                          肖像用額縁
６０                          肖像
７０                          小物
１１、１０１、１０２、３１    被覆部材
【図１】
2014136152.tif 000003
【図２】
2014136152.tif 000004
【図３】
2014136152.tif 000005
【図４】
2014136152.tif 000006